(57)【特許請求の範囲】
【請求項１】
加工片の切口を切削するため通路に沿って移動できるカッタ装置において、ほぼ直立する位置をとるカッタであって、ほぼ中心平面を有し、前部区域、及び後部区域を有する本体部、および前記本体部の上方に選択された高さに前方に向く切削端縁を有し前記後部区域にあるカッタ部を有する該カッタと、このカッタの前方に位置する深さゲージとを具え、この深さゲージは、上方から見て前記中心平面に対し２度より大きい第１角度に配置された第１部分と、上方から見て前記中心平面に対し２度より大きい第２角度に配置され前記第１部分の後方にある第２部分とを具え、これら第１部分および第２部分は、加工片に掛合するため上向きの端縁面を画成し、また前記第１部分の一部が前記中心平面から前記第１角度で離れ、前記第２部分が前記中心平面に向け前記第２角度で接近するよう構成したことを特徴とするカッタ装置。
【請求項２】
前記中心平面の一側に配置された中間接合部によって前記第１部分、及び前記第２部分が接合されており、前記深さゲージが前記中心平面の前記一側に突出する最大距離を前記接合部の一部によって画成した請求項１に記載のカッタ装置。
【請求項３】
前記中心平面から遠方に向く前記接合部の外面が凸状の曲線に形成されている請求項２に記載のカッタ装置。
【請求項４】
前記第２部分が前記中心平面に交差している請求項１に記載のカッタ装置。
【請求項５】
前記第１部分が前記中心平面から離れる前記第１角度が２°から９０°の範囲内にある請求項１に記載のカッタ装置。
【請求項６】
前記第１部分が前記中心平面から離れる前記第１角度が１０°から８０°の範囲内にある請求項１に記載のカッタ装置。
【請求項７】
前記第２部分が前記中心平面に接近する前記第２角度が２°から９０°の範囲内にある請求項１に記載のカッタ装置。
【請求項８】
前記第２部分が前記中心平面に接近する前記第２角度が１０°から８０°の範囲内にある請求項１に記載のカッタ装置。
【請求項９】
前記カッタに向かって後方部分になるにつれて、前記第１部分の上部区域が前記中心平面から離れ、前記第２部分の上部区域に接合し、前記第２部分の前記上部区域が前記中心平面まで延びてこの中心平面を横切る請求項１に記載のカッタ装置。
【請求項１０】
前記カッタに向かって後方部分になるにつれて、前記第１部分が前記中心平面の一側から離れ、前記第２部分の一部が前記中心平面の反対側から離れる請求項１に記載のカッタ装置。
【請求項１１】
前記第１部分、及び第２部分が前記本体部から上方に延びる線の周りに相互に相対的に湾曲している請求項１に記載のカッタ装置。
【請求項１２】
前記第１部分、及び第２部分が、それぞれ前記本体部から上方に延びる中心軸線を有するほぼ円錐状の形状とした請求項１に記載のカッタ装置。
【請求項１３】
前記中心平面の一側に側方に選択された距離だけ離間した側部切削端縁と、前記本体の上方に選択された高さに配置された頂部切削端縁とを前記カッタ部に設け、前記深さゲージの最外側部は前記中心平面と前記第１距離との中間に前記中心平面の前記一側に側方に離間し、前記深さゲージが前記本体の上方に延びる最大高さが前記頂部切削端縁の高さより低い請求項１に記載のカッタ装置。
【請求項１４】
前記頂部切削端縁は前記中心平面の前記一側の反対側の側部を越えて選択された第２距離まで前記中心平面の横方向に延在し、前記深さゲージは前記中心平面の前記反対側に前記第２距離より一層大きい距離だけ突出している請求項１３に記載のカッタ装置。
【請求項１５】
前記第１部分は前記中心平面を占める最前端部を有し、前記第１部分の上部区域はその後方部分になるにつれて、前記中心平面の一側に側方に配置された第１位置まで前記中心平面から離れ、前記第２部分の上部区域は前記第１部分から後方に延び、後方部分になるにつれて前記一側から前記中心平面に接近し、この中心平面を横切って前記中心平面の反対側の第２位置に到る請求項１に記載のカッタ装置。
【請求項１６】
前記切削端縁は前記中心平面の横方向に前記第１位置を越えて前記中心平面の前記一側に或る距離だけ延び、前記中心平面の前記反対側に前記第２位置の手前まで或る距離だけ延びる請求項１５に記載のカッタ装置。
【請求項１７】
前記第１部分、及び第２部分はその間に約４°から１６０°の範囲の角度を画成している請求項１に記載のカッタ装置。
【請求項１８】
前記第１部分、及び第２部分はその間の前記角度の内側に表面を有し、これ等表面の少なくとも一方の表面が加工片から切除した切屑を切口に沿って移動させるのを助けるためのその表面に形成した複数個の移送素子を有する請求項１７に記載のカッタ装置。
【請求項１９】
前記移送素子がこの表面に形成されこの表面にほぼ上方に延びる凹形の線で構成されている請求項１８に記載のカッタ装置。
【請求項２０】
前記移送素子がこの表面から外方に突出する離間した突起で構成されている請求項１８に記載のカッタ装置。
【請求項２１】
前記深さゲージ上に上方に向く頂面を更に設け、前記第１部分を通じて前記頂面を連続的に上方に進行させ前記第２部分に達せしめる請求項１に記載のカッタ装置。
【請求項２２】
前記第１部分はカッタの前部から見て前記本体部から上方部分になるにつれて前記中心平面から角度をなして外方に湾曲しており、前記第１部分が外方に湾曲する角度はカッタがその後方部分になるにつれて増大し、前記第１部分の上部区域を前記中心平面から離間させている請求項１に記載のカッタ装置。
【請求項２３】
前記第１部分は前記中心平面から側方、及び外方に湾曲しており、前記第１部分の上端縁面はカッタの後方部分になるにつれて前記本体部から連続的に上方に進行し、後方部分になるにつれて前記中心平面から離れる前記第１部分の上部区域を生じており、前記第２部分はカッタの後方部分になるにつれて減少する角度で前記中心平面から側方、及び外方に湾曲し、前記中心平面に接近する前記第２部分のための上部区域を生じている請求項１に記載のカッタ装置。
【請求項２４】
カッタがその後方部分になるにつれて、前記第２部分は前記中心平面に延びこの中心平面を横切り、横切った後、後方部分になるにつれて、増大する角度で前記第２部分は前記中心平面から側方、及び外方に湾曲し、前記中心平面から離れる前記第２部分の上部区域を生ずる請求項２３に記載のカッタ装置。
【請求項２５】
前記深さゲージを、前記本体部からほぼ上方に延びる両側のほぼ平行な表面を有する板素子から形成し、前記両側のほぼ平行な表面の間に上方に向く頂面を有し、前記カッタの側部から見て前記頂面が弧状に形成されており、この頂面は前記第１部分を経てほぼ連続的に上方に前記第２部分に延びている請求項１に記載のカッタ装置。
【請求項２６】
前記頂面は前記中心平面の横方向に延び、前記深さゲージの前方から見て前記両側のほぼ平行な表面の間の距離の少なくとも２倍の有効深さゲージ幅を生じている請求項２１に記載のカッタ装置。
【請求項２７】
前記カッタがその後方部分になるにつれて、前記第１部分の上部区域は前記中心平面から離間し、前記深さゲージが前記中心平面の前記一側に突出する最大距離を画成するよう前記中心平面の一側に対し離間する第１位置において前記第１部分の上部区域は接合部において前記第２部分に接合しており、前記第２部分の上部区域は前記接合部から前記中心平面に向け延びこの中心平面を横切って前記中心平面の反対側の第２位置に達しており、前記切削端縁は前記第１位置を越えて前記中心平面の前記一側まで延び、前記第２位置の手前に相当する距離だけ前記中心平面の前記反対側に延びている請求項１に記載のカッタ装置。
【請求項２８】
前記カッタがその後方部分になるにつれて、前記第１部分の上部区域は前記中心平面から離間し、前記深さゲージが前記中心平面の前記一側に突出する最大距離を画成するよう前記中心平面の一側に対し離間する第１位置において前記第１部分の上部区域は接合部において前記第２部分に接合しており、前記第２部分の上部区域は前記接合部から前記中心平面に向け延びこの中心平面を横切って前記中心平面の反対側の第２位置に達しており、前記切削端縁は前記第２位置を越えて前記中心平面の前記反対側まで延び、前記第１位置の手前に相当する距離だけ前記中心平面の前記一側に延びている請求項１に記載のカッタ装置。
【請求項２９】
前記深さゲージは両側のほぼ平行な表面を有すると共に、これ等ほぼ平行な表面の間に延在し加工片掛合面を画成する上方に向く端縁面を有し、前記カッタがその後方部分になるにつれて、前記第１部分の一部は前記中心平面から前記第１角度で離れており、前記第２部分は前記中心平面に前記第２角度で接近しており、前記第１部分、及び第２部分は中間接合部によって接合されており、この接合部の一部は前記深さゲージが前記中心平面の前記一側に突出する最大距離を画成しており、形成プロセス中、前記接合部に加える圧縮ワイピング作用によって前記接合部の区域の前記上方に向く端縁面は前記中心平面の前記一側に一層多く変形して、この端縁面が残りの部分を越えて前記中心平面の前記一側に突出している請求項１に記載のカッタ装置。
【発明の詳細な説明】
【０００１】
【発明の属する技術分野】
本発明はチェーンソーに使用して好適な、またメタルソー、及び手動鋸にも使用することができる深さゲージを有するカッタに関するものである。
【０００２】
【従来の技術】
木材を切削するソーチェーン、又はソーブレードに見られるように、加工片の切口を切削するため通路に沿い移動できる切削装置のカッタは先導する切削端縁を有するカッタ部と、この切削端縁の前方に離間する深さゲージ部とを具えることが多く、これによりカッタによって生ずる切削深さを制御している。動力化された装置においては、カッタが走行してソーの作動中、深さゲージはキックバックの可能性を減少させるのに役立つ。
【０００３】
従来の深さゲージは、Silvonの米国特許第 4353277号に開示されているように、カッタの端縁から前方に離間する区域に上方に延びる単一厚さのカッタ材料を有している。これ等の従来の装置は一般に、カッタ、又は深さゲージを形成する板材料の厚さと同じ幅を切口に対面させている。
その他の従来の装置は、Pinneyの米国特許第 5085113号、及び第 4989489号、Nitschmannの米国特許第 4911050号、及びMartinの米国特許第 4841825号に開示されているように、片持梁の形状の折り曲げた深さゲージ部を有する。
【０００４】
米国特許第 4353277号に示されているような単一厚さの直立深さゲージは加工片に突き刺さる傾向があり、一貫する切削深さの制御を行うことができない。従来の折り曲げた深さゲージは曲げた部分に弱い部分を生ずることが多く、作動中、破損する傾向があった。従来の曲げた深さゲージ装置は切削深さの制御が得られても、過剰な摩擦力、及び引き戻し力が発生し、しかもカッタによって生ずる切屑の自由な流れを阻止する欠点がある。更に説明すれば、このカッタによって生じた切屑をカッタの頂板の下に容易に流さず、切屑は切口内に蓄積し続け、深さゲージ、及びカッタは蓄積された切屑に乗り上げる傾向があり、切削が不十分になる。
【０００５】
【発明が解決しようとする課題】
本発明の目的は従来技術の欠点を除去し、深さゲージが切削を妨害することなく、切削を制御することができ、深さゲージに弱い部分を生ずることなく、過剰な摩擦力を生ずることなく、切屑をスムーズに排除して効率の良い切削を行うことができ、安価である改良された深さゲージを有するカッタを得るにある。
【０００６】
【課題を解決するための手段】
この目的を達成するため、本発明深さゲージを有するカッタは、加工片の切口を切削するため通路に沿って移動できるカッタにおいて、ほぼ直立する中心平面を有し、前部区域、及び後部区域を有する本体部と、前記本体部の上方に選択された高さに前方に向く切削端縁を有し前記後部区域にあるカッタ部と、前記本体部から上方に突出し前記前部区域にある深さゲージ部とを直立位置において前記カッタが具え、上方から見て前記中心平面に対し２度より大きい第１角度に配置された第１部分と、上方から見て前記中心平面に対し２度より大きい第２角度に配置され前記第１部分の後方に位置する第２部分とを前記深さゲージ部が具えることを特徴とする。
【０００７】
【発明の実施の形態】
本発明の一実施例では、深さゲージはほぼ平坦な本体部から上方に延び、側方から見た時、この深さゲージは上方に丸くなった前方に向く表面を有する。しかし、上方から見ると、それは波形の形態、即ち側方に変形した形態である。側方の変形は深さゲージの本体の両側に突出し、前方から見た時、それは加工片側から見るのと同一であるが明瞭な全体の幅は深さゲージを製作した材料の厚さより著しく広い。
【０００８】
更に、側方に変形させた深さゲージ、即ち波形の深さゲージは深さゲージの全ての部分が本体からほぼ上方に延びている。従って、本発明の深さゲージは、従来の装置において破損する傾向がある弱い部分を生じていた折り曲げた片持ち梁の部分を有しない。従来とは異なり、側方に変形した曲線の形態はむしろ深さゲージに強度を与えている。
【０００９】
本発明の深さゲージは製造するのが簡単である。これは、選択された最初の輪郭を画成するように板材料から素材取りをし、次に希望するずれた形態に側方に変形させ、深さゲージが使用されるカッタのための有利な深さゲージ制御特性を生ずるような前方に傾斜した形態を得るからである。この付加的利点は、従来、使用されたほぼ平坦な上面を有する折り曲げた片持梁状の深さゲージとは異なり、上方に湾曲した頂面の輪郭を設けることにより深さゲージとしての一層有効な作動を行うことができることである。
【００１０】
従来の折り曲げた深さゲージとは異なり、本発明の他の利点は、深さゲージを作動させる際、希望する深さゲージ設定値を維持するよう後続するカッタ部に対し適正な高さを有することである。本発明により得られるように折り曲げた形態でなく、上方に延びる形態の場合、希望する深さゲージ設定値を維持するのに強度の低下を生じない。これに反し、従来のような折り曲げた深さゲージの場合には、深さゲージの材料の横断面の厚さが減少し、相当弱体化する。
【００１１】
本発明の一実施例では、深さゲージは本体部から上方に延び、上方から見て、下にある本体部の平面に対し２°より大きい第１角度で前部区域が配置され、第１部分の後方に位置する第２部分も上方から見て本体部の平面に対し２°より大きい第２角度で配置される。
【００１２】
好適な実施例では、この装置がその後方部分になるにつれて、第１部分は第１角度で本体の平面から離れ、第２部分は第１部分の後端で接合部において第１部分に接合し、次に後方部分になるにつれて第２部分は本体の平面に向け接近する。この接合部は本体の平面の一側に深さゲージが突出する最大距離を画成し、第２部分は本体の平面を横切って延び、接合部からは反対側の本体の平面の側で終わる。
種々の実施例では、深さゲージの第１部分、及び第２部分は本体から上方に延びる線の周りに相互に相対的に湾曲する。又は第１部分、及び第２部分は本体から上方に延びる中心軸線を有するほぼ尖円状である。
【００１３】
このような深さゲージを採用するカッタにおいては、後続するカッタ部を深さゲージの後方に離間し、前方に向く切削端縁を深さゲージの最も高い部分の僅か上方の選択された高さにカッタの横方向に延在し、側部切削端縁を変形された深さゲージの側方最外側の側方外方に離間する。ここに説明する深さゲージの形態は、深さゲージの最も高い部分を横方向に延びる切削端縁の側部から側部までの寸法のほぼ中心に配置する。
【００１４】
本発明の他の利点は、深さゲージの角度をなして配置された第１部分と第２部分との間に設けられた開放空間により切口から切屑を有効に集めて運ぶことを可能にしていることである。第１部分、又は第２部分の内面に隆起線、又は凹凸の線、又はその他の形成物を形成し、切屑を切口の外に運ぶのを助ける。
深さゲージが加工片に対面する頂部面積の量と、得られるキックバック防止作用との間には実質的に直接の相互関係があることがわかった。本発明は従来既知の直立深さゲージと異なり、頂面の面積を相当増大することができ、従って潜在するキックバック作用を防止する付加的利点を有する。
【００１５】
要約すれば、本発明は切削しながら移動している時、深さゲージを造っている材料の厚さより切口の一層広い面積を掃過する頂面が得られるよう側方に変形させた深さゲージ部、及びその深さゲージ部を有するカッタを提供する。このようにして、実質的に明らかに動的で、作動中、カッタに対し一層広幅で、頂部の表面積を増大した深さゲージ面を得ることができる。
図面を参照して本発明の好適な実施例を詳細に説明する。
【００１６】
【実施例】
図面、特にまず図１において、符号１０は加工片の切口を切るチェーンソーに使用するカッタチェーンの一部を示す。このチェーンは左側カッタリンク１２、右側カッタリンク１４、中心駆動リンク１６、及びコネクタリンク１８を有する。これ等全てのリンクはその両端に隣接して貫通する孔２０を有する。ピボットピンとして作用するリベット２２はこれ等リンクの一線の孔２０に貫通しており、カッタリンク、駆動リンク、及びコネクタリンクを相互に枢着する。
【００１７】
一部を２６にて示す案内棒上に移動するようチェーンを支持する。この案内棒２６は溝２８を有し、この溝２８内に駆動リンク１６の懸垂タング部を摺動させる。溝２８の両側に沿う符号２６ａに示すような支持案内レールに沿って、カッタリンク、及びコネクタリンクの下側が摺動する。木材のような加工片の切口を切るため、動力によって駆動されるチェーンの方向を符号２９によって示す。切口を破線３０にて示す。ここで使用するように、前方、又は前部は矢印２９の方向を意味し、後部、又は後方は矢印２９の反対方向を意味する。
【００１８】
図２〜図５において、本発明の一実施例を示すため左側カッタリンク１２を拡大して示す。カッタ、即ちカッタリンク１２は中心平面３３を有するほぼ平坦な直立本体部３２を具える。この直立本体部の両面３２ａ，３２ｂは互いに平行である。
後部区域、即ち踵区域３２ａ、及び前部区域、即ち爪先区域３２ｂにそれぞれ貫通する１対の離間するリベット収容孔２０を設ける。孔２０の中心線はチェーンが走行する案内レール２６ａにほぼ平行な中心線３９に一線をなす。
【００１９】
図１に明示するように、カッタの前部に隣接する爪先区域の爪先部３２ｂの下側が中心線３９と離間する距離は、踵部３２ａの後部の孔の下方のカッタ本体の下側が中心線３９と離間する距離より一層大きい。従って、図１に示すように、前後のリベットの中心線が一線をなす時は、カッタの前部、即ち爪先部は側部レール２６ａ上に休止し、踵部の下側はレールから僅かに上に離間する。この距離は 0.250〜2.032mm(0.01〜0.08インチ) の範囲であるのが好適である。しかし、この距離は使用するカッタの寸法、及び形状によって変わる。
【００２０】
本体部の後端区域にはカッタ部４０がある。カッタ部は頂板部４２と側板部４３とを有する。頂板部は両方に向き、側方に延びる切削端縁４２ａを有し、この切削端縁４２ａは側板部４３の前端縁にある垂直に延びる側部切削端縁４３ａに連結している。
図２、及び図４に明示するように、側板部４３は本体部の中心線３３に平行な平面内にあるが、この中心線３３の一側に側方に離間するように変形している。カッタ頂板部４２は側板部４３に対しほぼ直角に曲がっており、本体部３２の上にある。頂板の切削端縁４２ａは本体部の平面の横方向に延び、本体部の上にある。
【００２１】
図４において、本体部３２とカッタ部４０との間の遷移区域をほぼ示すため図面に線４４を設けた。寸法線４６は頂板４２の切削端縁４２ａが本体部の上方に離間する選択された離間距離を示している。寸法線４７は頂板の切削端縁４２ａがカッタの中心平面３３の一側に側方に突出する水平距離を示し、寸法線４８は切削端縁４２ａが中心平面３３の反対側に側方に突出する水平距離を示す。頂板の全幅は寸法４７と４８との合計である。
【００２２】
深さゲージ、又は深さゲージ部分５２を本体部の前部区域３２ｂに設けて、この区域から上方に突出する。この深さゲージは本体部、及びカッタ部分と同一材料で一体に、即ち完全に統一されて形成されており、上方に延びる両側の平行面５３，５５を有し、この深さゲージの厚さは図４に本体の厚さ５４として示した厚さとほぼ同一である。深さゲージは本体３２からほぼ上方に延び、本体部３２の平面からずれているが、最初に説明したように、従来の折り曲げた深さゲージに使用されてきたような通常の片持ち梁のようには折り曲げていない。
【００２３】
深さゲージのほぼ平行な両面間に延在する深さゲージの上端縁面、即ち頂面５８は深さゲージの前部区域からほぼ連続的に上方に凸状の弧状曲線で延びる。このカッタを形成している板材の上端縁面、即ち頂面は作動中、加工片に掛合する深さゲージ部のための表面となる。
深さゲージは全体が一体構造であるがここに説明するように第１部分、即ち前部５２ａ、第２部分、即ち後部５２ｂ、及び中間部分、即ち接合部５２ｃを有する。図３において上から見て、後方部分になるにつれて第１部分５２ａの上部区域は中心平面３３の一側から離れて角度Ａに配置される。角度Ａは２°から９０°の範囲である。この角度は１０°から８０°の範囲にあるのが好適である。
【００２４】
図３において、深さゲージがその後方部分になるにつれて、第２部分、即ち後部５２ｂの上部区域は中心平面に対し、第１角度Ａと異なる第２角度Ｂに配置されており、この角度Ｂは２°から９０°の範囲であるが、１０°から８０°の範囲が好適である。
図３から明らかなように、上から見て第１部分、及び第２部分は僅かに湾曲している。このようにすれば深さゲージの側部と、切削された切口の側壁との間の摩擦接触を減らすのを助ける。第１部分、及び第２部分を僅かな曲線に図示したが、実質的な直線にすることもできることは明らかである。
第１部分５２ａ、第２部分５２ｂは中間部分、即ち接合部５２ｃによって接合されている。この接合部５２ｃの凸状の外面は深さゲージが中心平面３３の一側に突出する最大距離を画成する。第１部分５２ａと第２部分５２ｂとの間に角度Ｃが画成され、この角度は４°から１６０°の範囲が好適である。
【００２５】
図３に示すように、前部、即ち第１部分５２ａはその後方部分になるにつれて中心平面３３から離れ、中心平面３３の一側に突出し、中心平面３３の一側に最も遠い接合部５２ｃに交差する。後部、即ち第２部分５２ｂは中心平面３３に接近しながら接合部５２ｃから後方に進み、中心平面３３の反対側に向けこの中心平面を越えて延び、後方部分になるにつれて中心平面から離れる。この深さゲージの頂面５８はほぼ連続的に上方に延び、線６０にて示す区域に達し、頂面５８は図４、及び図５に示すように下方に若干角度をなす。深さゲージの後端に隣接するこの下方への傾斜が無い他の実施例のように形成してもよい。
【００２６】
図４において、本体部３２の平坦側面から直線的に上方に、中心平面３３に平行に延びるデータ線６２を設けた。深さゲージの第１部分は本体部の平面から外方に湾曲しており、その角度は深さゲージがその後方部分になるにつれて徐々に増大し、第１部分の上部区域は本体部の平面から離れていることを示すため、このデータ線を設けたのである。更に説明すれば、第１部分５２ａの前部区域はほぼ第１角Ｅで配置され、接合部５２ｃに隣接する区域まで後方部分になるにつれて、データ線６２（及び中心平面３３）と第１部分５２ａの外面との間の角度は角度Ｅより一層大きいＤに示す角度まで増大している。角度Ｅは約１°から１０°の範囲内にあり、角度Ｄは約２°から３０°の範囲内にある。
【００２７】
一方、第２部分はその最前部区域で角度Ｄにほぼ類似する角度で接合部に接合する。次に後方部分になるにつれて、第２部分と中心平面との間の角度は減少し、第２部分は中心平面３３に合体する。中心平面３３を過ぎた後は、第２部分の角度は増大する。
【００２８】
図３、及び図４において、第１部分５２ａは寸法線６６によって示される距離だけ中心平面３３の一側に側方に突出するように、深さゲージの第１部分５２ａ、及び第２部分５２ｂがそれぞれ側方に突出していることは明らかである。従って接合部５２ｃにおける深さゲージの最外側部は、頂板の切削端縁４２ａが側板の切削端縁に向け延びる距離４７より僅かに小さい距離だけ本体の中心平面の一側に対し側方に離間している。この実施例では、深さゲージの後部、即ち第２部分５２ｂは中心平面３３の反対側へ距離６８だけ突出する。この距離６８は頂板の切削端縁４２ａが中心平面３３のこの同じ側に突出する距離４８より大きい。
【００２９】
寸法線７０は深さゲージの全有効幅であり、寸法６６と６８との合計である。寸法７０は切削すべき材料の方から見える有効ゲージ幅である。この寸法は本体３２の厚さ５４を実質的に超過する深さゲージの掃過する幅となる。最も有効な作動のためには厚さ５４の少なくとも２倍の幅７０を有するのが好適であることがわかった。深さゲージの幅７０はカッタの幅（４７＋４８）より一層大きく寸法４８の部分を越えて突出する。図４に示すように、深さゲージはカッタの部分（即ち寸法４８）よりも中心平面の一側に一層遠く突出する（即ち寸法６８）。
【００３０】
深さゲージが加工片に対面させる頂面の面積と、設けられたキックバック防止作用との間にはほぼ相互関係があることが試験において観察された。深さゲージをまず一側に向け曲げ、次に反対側に曲げ、波状、又は波形の形態にした本発明の場合、従来、既知の直立深さゲージとは異なり作動中、加工片に対面させる頂面の面積を著しく増大させる。深さゲージの頂面の面積の著しい増大は加工片の切口内での切削に一層優れた制御を提供し、キックバック防止作用を向上させる。この表面積の増大は、従来の片持状に形成された折り曲げた深さゲージに関連して生ずることが多い構造的な弱体化を生ずることなく達成される。
【００３１】
再び図４において、寸法線７２は本体の上方に深さゲージが突出する最大距離、即ち最大高さを示しており、この寸法が寸法線４６によって示された頂板部の切削端縁の高さより低いことを示している。従って、頂板部の切削端縁の高さと深さゲージの頂部との間のこの選択された高さの差７４は、頂板部の切削端縁４２ａために設定する切削有効深さを規定し、水平寸法４７と６６との間の差は側板部の側部切削端縁４３ａのために設定する側部切削有効深さを規定する。
図４に示すように、この実施例における深さゲージの最も高い点は頂板部の切削端縁４２ａの両端の中間に配置されており、切削制御の有効深さを提供している。
【００３２】
図４、及び図５に示すように、複数個の上方に指向する線、即ち移送素子７６は後部５２ｂの内側面に形成されている。これ等の線７６は表面の溝、又は突起として形成されている。その目的は切口からの切屑を運ぶのを助けることである。更に説明すれば、カッタによって加工片から切除した材料の切屑は若干囲まれた状態の切口内に発生する。これ等の切屑が切口から離れなければ、有効な切削、及び切削深さの制御に対し妨げになる。深さゲージの表面の溝、又は表面から外方への突出している線７６のような移送素子を設けることによって、切口から切屑を移送する際に深さゲージを摩擦により助ける。
【００３３】
このようなカッタ、及び深さゲージの形成は容易に行うことができる。本体部３２の厚さ５４にほぼ一致して平行な両側の側面を有する１片の平坦金属板素材を希望する最初の形状に材料取りし、即ち切り出す。次にこの板部分の適切な部分を変形し、本体部と側板４３との間をオフセットさせ、次に頂板の部分を本体部に対しほぼ直角に折り曲げる。これ等の操作中、孔２０を形成し、図示の形態になるよう深さゲージの第１部分５２ａ、第２部分５２ｂを本体部の平面から変形させる。このようにして、ほぼ平行な両面を有する板素子から深さゲージを形成する。深さゲージの部分は本体部からほぼ上方に延び、上方に向く上板端縁は両面間に延びる。図５に示すようにカッタの側部から見た上板の端縁は弧状であり、第１部分を経て連続的に上方に延び第２部分に到る。図３におけるように頂部から見た時、第１部分、即ち前部は本体部の中心平面の一側に離れ接合部に達し、次に第２部分、即ち後部は中心平面に向け角度をなして接近し、中心平面を越えて横切り、中心平面の反対側に外方に延びる。
【００３４】
第１部分、及び第２部分は本体部からほぼ上方に延びる接合部における線の周りに互いに相対的に湾曲している。
ここに説明したカッタは上述のようにカッタの折り曲げた頂板を有し、カッタの後部に位置し側方に延び直立する切削端縁４２ａ，４３ａを有するフード形である。
図４に示すように前方から見て深さゲージの先端部はカッタを形成している材料の厚さより相当幅広の有効深さゲージを切口に対面させており、この場合、この有効深さゲージは材料の厚さの少なくとも２倍であり、頂面の面積が増大している。
【００３５】
図５に明らかなように、この深さゲージの前部の頂面５８は第１部分から平滑な弧状でほぼ連続して角度をなして上方に進み、深さゲージの第２部分になる。このように第１部分がカッタの一側に外方に角度をなすことによって接合部５２ｃの凸状の湾曲部で最も遠く突出している外側端縁まで平滑に遷移し、図４に示したように寸法４７と６６との間の差である側部切削深さゲージ設定値を提供する。深さゲージの第２部分はその後方部分になるにつれてカッタの本体部の中心平面に向け接近し、この中心平面を通るから、横切削端縁４２ａの両端の中間にある線６０の区域において上部深さゲージ部を生じ、寸法７４で示される有効深さゲージ設定値を提供する。
【００３６】
図６、及び図７に示す実施例を説明する。本発明のこの実施例においては、各カッタリンク８０は折り曲げた頂板４２を有するカッタ部４０と、鋭利にした先端縁４２ａ，４３ａを有する直立側板４３とを具える。カッタの前部、及び後部の孔２０はチェーンの隣接するリンクにカッタリンクを連結するリベット２２の収容孔となる。
カッタリンク８０の前部には深さゲージが無い。カッタリンク８０の前部の頂部（図６に破線部分に符号８０ａにて示す）は実質的に本体部の頂部である。
【００３７】
カッタリンク８０の前部に中心駆動リンク８４を連結する。この中心駆動リンクはほぼ平坦な本体部８６を有し、この本体部８６の懸垂タング８６ｃは案内棒２６の溝２８内に乗り入れ、チェーンソー動力ヘッドの駆動スプロケットに掛合する。また連結リベット２２を収容する孔を前端、及び後端に隣接して有する。
この実施例では、深さゲージ部９０を中心駆動リンク８４に設け、本体部８６から上方に突出する。深さゲージ部は第１部分、即ち前部９０ａ、及び第２部分、即ち後部９０ｂを有する。これ等前部、及び後部を図７の平面図に明示する接合部９０ｃによって接合する。
【００３８】
図１〜図５につき説明した実施例におけるように、前部９０ａの頂面はこのリンクが後方部分になるにつれて、本体部から凹状の曲線でほぼ連続的に上方に延び、第２部分９０ｂに接合する。第１部分はリンクの中心平面９２から角度Ａで離れるが、この角度Ａは２°から９０°の範囲、一層好適には１０°から８０°の範囲である。第２部分、即ち後部９０ｃは凸状の外側曲線状に形成された接合部９０ｃから、ほぼ角度Ｂで後方に延び、中心平面９２に接近する。角度Ｂは２°から９０°の範囲、一層好適には１０°から８０°の範囲にある。
【００３９】
この実施例では、接合部９０ｃの外側面は図１〜図５に図示した実施例におけるよりも中心平面９２から若干一層遠く移動していることが必要で、これにより十分な側板による切削の深さ制御を行うことができる。しかし、このことは、中心駆動リンクを形成する板素子は最初の実施例に図示したよりも一層大きく変形させるだけでよいことを意味するに過ぎない。
【００４０】
中心駆動リンク８４の深さゲージの形成、及び作動は図１〜図５に示した実施例のものにほぼ類似する。更に説明すれば、この深さゲージはカッタ４０を先導し、リンク８４の本体部からほぼ連続して上方に傾斜する深さゲージとなると共に、加工片に切る切口の方から見て、リンクを形成している材料の厚さより相当幅が広い深さゲージとなる。更に、カッタのフード状頂板の側部から側部までの寸法の中間である最上部、即ち頂部の深さゲージ面となり、接合部９０ｃにおいて、良好な側板切削深さゲージ制御を行う。
【００４１】
図８（Ａ）、及び図８（Ｂ）は図３に示したカッタにほぼ類似するカッタの平面図である。図８（Ａ）では、カッタリンク９６は中心平面９７を有する本体を有する。このリンクは後端に設けたカッタ部９８と、前端に設けた深さゲージ部分１００とを有する。上方から見て、前部、即ち第１部分１００ａは本体の中心平面９７から外方に湾曲し、末尾のカッタ９８の側板カッタ部の方向に中心平面９７から離れる。もう一度繰り返すが、図３に示したカッタの深さゲージの第１部分５２ａ、及び第２部分５２ｂは僅かに湾曲していた。しかし、図８（Ａ）に示す深さゲージの第１部分１００ａ、及び第２部分１００ｂは平面図で見て側部はほぼ直線状である。更に、第１部分１００ａ、及び第２部分１００ｂ間の接合部１００ｃは凸状の湾曲外側面を提供し、これは深さゲージが中心平面９７の一側に最も遠く突出する点でもある。
【００４２】
図８（Ｂ）に、カッタ９６にほぼ類似するカッタ１０４を示す。しかし、この実施例では、深さゲージ１０６の第１部分１０６ａは中心平面１０８から後方部分になるにつれて、前に説明した実施例におけるように、側板の切削端縁に向け延びるのとは異なり、カッタの側板の切削端縁１０４ａから離れるように延びる。第１部分１０６ａは接合部１０６ｃに向け後方に進み、次にこの部分から後部１０６ｂは中心平面１０８に接近し、中心平面１０８を横切り、後部の終端１０６ｄに達する。この終端１０６ｄは側部切削端縁１０４ａの側方位置の手前で、その側方位置まで１０７で示す距離だけ手前で止まり、側板深さ設定値を提供する。
【００４３】
図９〜図１２において、本発明の他の実施例によって構成されたカッタ１１２を示す。また、本体部１１４はほぼ中心平面１１６を有する。後部に設けたカッタ部１１８は側方に延びる頂板切削端縁１１８ａ、及び直立側板切削端縁１１８ｂを有する。前部に取り付けた深さゲージ部１２０は本体１１４からほぼ上方に延び、中心平面１１６の一側に側方に変形する。（図８（Ａ）、及び図８（Ｂ）に反対の設計を示したように）深さゲージは中心平面のいずれの側へでも変形させることができるが、この場合、側板切削端縁１１８ｂから離れるカッタの側部に変形するように示した。
【００４４】
第１部分、即ち前部１２０ａは本体部１１４からほぼ上方に延びる。この第１部分は本体１１４の中心平面内にある最前端部を有する。この最前端部から後方部分になるにつれて、第１部分の上部は角度Ａだけ中心平面から離れる。
第２部分、即ち後部１２０ｂは角度Ｂで中心平面１１６に接近する。第１部分１２０ａ、及び第２部分１２０ｂは接合部１２０ｃによって相互に接合される。第２部分１２０ｂは中心平面１１６を横切って終端部１２０ｄまで延びる。この終端部１２０ｄは側板切削端縁１１８ｂから距離１２２だけ離間しており、これにより側板深さゲージの設定値を生じさせている。また、図１０（Ａ）に示すように、この深さゲージの上面、即ち端縁１２３はこのカッタを形成する材料の厚さより相当に幅広で、加工片の切口の深さゲージ掃過を行う。またこの端縁１２３は頂板切削端縁１１８ａより僅かに下にあり、これにより頂板深さゲージ制御設定値を生ずる。更に図１１に示すように、深さゲージがその後方部分になるにつれて、表面１２３は上方に延びるほぼ弧状の形態である。
【００４５】
図９〜図１２に示し、一層明瞭に図９に示す実施例では、前部１２０ａが中心平面１１６に対して離れるように配置される角度は前の実施例で図示した角度より一層大きい。ここに示すように角度Ａはほぼ７０°であるが９０°に近い角度にすることができる。更に前部１２０ａは中心平面１１６に対し一層大きな角度に配置されているから、このことにより接合部１２０ｃをカッタ内で一層前方にシフトさせることとなり、従って、接合部を切削端縁１１８ａから一層遠くシフトさせ、装置の切削性能を向上させることができる。
【００４６】
図１０（Ｂ）において、図１０（Ａ）のカッタと前面図はほぼ類似しており、同一の部分を同一の符号にて示す。しかし、ここでは深さゲージの上面を一側に変形させるのに、いわゆる機械的ワイピング、転造、又はスエージ加工を行い、加工片に掛合する一層広い表面積を有する一層広い拡開する頂面を生ぜしめる。更に説明すれば、符号１２６で示す深さゲージ部は前部１２６ａ、後部１２６ｂ、及び接合部１２ｃをそれぞれ有する。
【００４７】
ここでの相違は、製作プロセス中、深さゲージの主要部を中心平面１１６の側方に変形させるから、硬化させた工具を押し付け、中心平面１１６に垂直な方向に、更に図１０（Ｂ）において左の方に上面１３０を横切ってこの工具を側方に動かすワイピング作用により、上面の更なる変形を生ぜしめる。このワイピング作用は深さゲージの上面１３０を接合部１２６ｃの区域で一層変形させ、本体の材料１１４より一層幅が広い拡開部を生ぜしめる。この形成プロセスにより、深さゲージのための一層広い頂面の面積を生じ、頂面の面積が増大することから生ずる上述の付加的利点が得られる。
上に示したように、深さゲージのための拡開した上面は転造、又はスエージ加工のような他の製造方法により形成することもできる。
【００４８】
図１３、図１４、及び図１５は本発明の他の実施例を示す。ここでもカッタ１４０は中心平面１４４を有するほぼ平坦な本体部１４２を有する。深さゲージ部１４６は上面１５０を有する前部１４６ａ、後部１４６ｂを有する。この深さゲージはその形態がほぼ尖円状である。第１部分１４６ａ、及び第２部分１４６ｂの主要部は本体部１４２から上方に延びるほぼ直線状の直立中心軸線１５２の周りにほぼ円錐形に変形している。接合部１４６ｃの区域の上面は半径Ｒ1 に形成されている。
第１部分１４６ａの前部は水平線に対して小さい角度にある他の軸線１５４の周りにほぼ円錐形に変形している。
【００４９】
本発明をソーチェーンのカッタリンク、及びセンタ駆動リンクの形状につき説明したが、このように形成された深さゲージをタイストラップ、及び切削チェーンのカッタ、及び駆動リンクに設けることもできる。更に、ここに図示し、説明した実施例を図９に示すように本体の平面の外方に離れるような前部の第１湾曲部と、接合部で曲がる第２部分、即ち本体の平面に接近する第２部分を図示したが、本発明の範囲を逸脱することなく、一層波形の設計になるよう付加的に湾曲させてもよい。
【００５０】
本発明の実施例によるカッタ、及び深さゲージの種々の付加的使用状態を図１６〜図１８に示す。ここでは、カッタ、及び深さゲージをチェーンソーのカッタチェーンに取り付けない。代わりに、図１６において、メタルソー１６０はリベット１６６によって取り付けた左右のカッタ１６２，１６４を有する。これ等のカッタは図示し、ここに説明した形態のいずれか、又は特許請求の範囲の形態を有することができる。
【００５１】
図１７はメタルソー１７０がその周縁に形成した（単に取り付けたのでなく）複数個のカッタ１７２を有し、このカッタに先導して深さゲージ部１７４を有する状態を示す。この場合でも、これ等のカッタ、及び深さゲージをここに説明した実施例、又は特許請求の範囲により形成することができる。
【００５２】
最後に、図１８は本発明による深さゲージ１８６により先導されるカッタ１８４を有する刃１８２を具える手動鋸１８０を示す。
本発明の特定の実施例を図示し、説明したが、特許請求の範囲に記載された本発明の範囲を逸脱することなく本発明は種々の変更を加えることができ、使用状態を追加できることは当業者に明らかである。
【図面の簡単な説明】
【図１】本発明の一実施例による深さゲージを有するカッタを組み込んだソーチェーンの一部を断面とする側面図である。
【図２】図１のチェーンから取り外したカッタリンクの拡大斜視図である。
【図３】図２のカッタの平面図である。
【図４】図２のカッタの拡大前面図である。
【図５】図２のカッタの側面図である。
【図６】互いに枢着するカッタリンクと駆動リンクとを有する本発明ソーチェーンの一部を断面とする側面図である。
【図７】図６の７−７線の方向に見た拡大平面図である。
【図８】本発明の代わりの実施例を示し、（Ａ）はその一方の実施例の平面図であり、（Ｂ）は深さゲージ部を反対方向に曲げた他の実施例の平面図である。
【図９】本発明の他の実施例の深さゲージを有するカッタリンクの平面図である。
【図１０】本発明の深さゲージの頂面を示しており、（Ａ）は図９のカッタの前面図であり、（Ｂ）は他の実施例のカッタの前面図である。
【図１１】図９のカッタリンクの側面図である。
【図１２】図９のカッタリンクの斜視図である。
【図１３】本発明の他の実施例の前面図である。
【図１４】図１３に示すカッタリンクの前部の拡大斜視図である。
【図１５】図１３に示すカッタリンクの平面図である。
【図１６】本発明カッタ素子を周縁に取り付けたメタルソーの部分側面図である。
【図１７】本発明により形成したカッタを周縁に形成したメタルソーの部分側面図である。
【図１８】本発明の実施例により形成した深さゲージを有するカッタを具えた手動鋸の一部の側面図である。
【符号の説明】
１０  カッタチェーン
１２  左側カッタリンク
１４  右側カッタリンク
１６，８４  中心駆動リンク
１８  コネクタリンク
２０  リベット収容孔
２６  案内棒
２６ａ  支持案内レール
２８  溝
３２  直立本体部、本体部
３２ａ  後部区域、踵区域
３２ｂ  前部区域、爪先区域
３３，９２，９７，１０８，１１６，１４４  中心平面
４０，９８，１１８  カッタ部
４２  頂板部、頂板
４２ａ  切削端縁
４３  側板部、直立側板
５２，９０，１００，１０６，１２０  深さゲージ、深さゲージ部
５２ａ，９０ａ，１００ａ，１０６ａ，１２０ａ  第１部分、前部
５２ｂ，９０ｂ，１００ｂ，１０６ｂ，１４６ｂ  第２部分、後部
５２ｃ，９０ｃ，１００ｃ，１０６ｃ，１４６ｃ  中間部分、接合部
５８  頂面、上端縁面
７６  移送素子
８０，９６，１０４  カッタリンク、カッタ
８４  中心駆動リンク
８６，１１４，１４２  本体部
１１８ａ  頂板切削端縁
１１８ｂ  直立側板切削端縁
１２３  上面、端縁
１２６，１４６，１７４，１８６  深さゲージ、深さゲージ部
１３０，１５０  上面
１４０  カッタ
１４６ａ  第１部分、前部
１５２  直立中心軸線
１６０，１７０  メタルソー
１６２，１６４，１７２，１８４  カッタ
１８０  手動鋸
【図１】
0004167743.tif 000002
【図２】
0004167743.tif 000003
【図３】
0004167743.tif 000004
【図４】
0004167743.tif 000005
【図５】
0004167743.tif 000006
【図６】
0004167743.tif 000007
【図７】
0004167743.tif 000008
【図８】
0004167743.tif 000009
【図９】
0004167743.tif 000010
【図１０】
0004167743.tif 000011
【図１１】
0004167743.tif 000012
【図１２】
0004167743.tif 000013
【図１３】
0004167743.tif 000014
【図１４】
0004167743.tif 000015
【図１５】
0004167743.tif 000016
【図１６】
0004167743.tif 000017
【図１７】
0004167743.tif 000018
【図１８】
0004167743.tif 000019